【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  静止画記録指示により、センサよりの静止画データを取り込む画像取込手段と、
前記画像取込手段によって取り込まれた静止画データの撮影時のぶれ量を検出する検出手段と、
所定期間もしくは所定回数にわたる前記画像取込手段の実行によってえられる静止画データのうち、前記検出手段で検出されたぶれ量が最も小さい静止画データを当該静止画記録指示に対する画像として記録する記録手段と
を備えることを特徴とする撮像装置。
【請求項２】  前記所定期間もしく所定回数を設定する第１設定手段を更に備える
ことを特徴とする請求項１に記載の撮像装置。
【請求項３】  前記第１設定手段は、指定された撮影モードに応じて前記所定期間もしくは所定回数の設定を行う
ことを特徴とする請求項２に記載の撮像装置。
【請求項４】  前記記録手段は、前記所定期間もしくは所定回数にわたる前記画像取込手段の実行において、前記検出手段で検出されたぶれ量が所定のしきい値を下回る条件で静止画データの取込が行われた場合は、その時点の静止画データを当該静止画像記録指示に対する画像として記録する
ことを特徴とする請求項１に記載の撮像装置。
【請求項５】  前記所定のしきい値を設定する第２設定手段を更に備える
ことを特徴とする請求項４に記載の撮像装置。
【請求項６】  前記第２設定手段は、ズームレンズの焦点距離もしくは固体撮像素子の電荷蓄積時間の少なくともいずれかを含む撮影条件に基づいて前記所定のしきい値を設定する
ことを特徴とする請求項５に記載の撮像装置。
【請求項７】  前記検出手段は、当該撮像装置本体のぶれ量を検出する
ことを特徴とする請求項１に記載の撮像装置。
【請求項８】  前記検出手段は、当該撮像装置の結像面上における像のぶれ量を検出する
ことを特徴とする請求項１に記載の撮像装置。
【請求項９】  前記検出手段は、結像面で得られた連続した２画面間の画像を比較することで結像面上での像の移動量を得て、これをぶれ量とする
ことを特徴とする請求項８に記載の撮像装置。
【請求項１０】  撮像装置のぶれ量を検出し、該ぶれ量に基づいて光学的にぶれを補正する補正手段と、
静止画データ静止画記録指示により、センサよりの静止画データを取り込む画像取込手段と、
前記補正手段によるぶれ補正量に基づいて、前記画像取込手段によって取り込まれる静止画データの記録の可否を判定する判定手段と、
前記判定手段で記録可と判定された場合、当該静止画データを記録する記録手段と
を備えることを特徴とする撮像装置。
【請求項１１】  前記判定手段は、前記補正手段によるぶれ補正量と所定のしきい値との比較によって、静止画データの記録の可否を判定する
ことを特徴とする請求項１０に記載の撮像装置。
【請求項１２】  前記所定のしきい値を撮影状態に基づいて設定する設定手段を更に備える
ことを特徴とする請求項１１に記載の撮像装置。
【請求項１３】  前記撮影状態が、撮影レンズの焦点距離または絞りの値の少なくともいずれかを含む
ことを特徴とする請求項１２に記載の撮像装置。
【請求項１４】  前記画像取込手段によって取り込まれた静止画データの撮影時のぶれ量を検出する検出手段を更に備え、
前記判定手段は、前記検出手段で検出されたぶれ量と、前記補正手段によるぶれ補正量とに基づいて、前記画像取込手段によって取り込まれる静止画データの記録の可否を判定する
ことを特徴とする請求項１０に記載の撮像装置。
【請求項１５】  ぶれ防止装置が動作できる光軸の最大偏角範囲より内側に静止画記録を許可する最大偏角範囲を定めると共に、ファインダー上は静止画記録を許可する最大偏角範囲の外側の最大偏角範囲内でぶれ防止装置を動作させた時の画像を表示することを特徴とした撮像装置。
【請求項１６】  静止画記録の許容最大偏角値とぶれ防止装置の最大偏角範囲の差の角度分光軸がずれてもファインダーに表示された像がけられなく記録される様に、実際に固体撮像素子上に結像された画角範囲の内側にファインダーに表示する範囲を設定する
ことを特徴とする請求項１５に記載の撮像装置。
【請求項１７】  結像面上の像を画素ピッチに関連した所定量だけ移動する移動手段と、
前記移動手段で像を移動して得られる複数の画像情報を、画像情報を得た順に第１，第２…第ｎの画像として記憶する記憶手段と、
前記記憶手段に記憶された第ｉ番目の画像と同一の移動位置で取り込んだ新たな画像を、該第ｉ番目の画像と比較して前記第１〜第ｎの画像の有効性を判断する判断手段と、
前記判断手段で有効と判断された場合、前記第１〜第ｎの画像を合成して合成画像を生成する画像合成手段と、
前記判断手段で無効と判定された場合、前記第ｉ番目の画像を前記新たな画像で更新する更新手段と、
前記判断手段で有効と判定されるまで、該判断手段と前記更新手段を前記ｉを１からｎの範囲で変化させて繰り返す制御手段と
を備えることを特徴とする撮像装置。
【請求項１８】  前記移動手段が、ぶれ補正のために結像面上の像を移動させる手段を兼ねる
ことを特徴とする請求項１７に記載の撮像装置。
【請求項１９】  結像面上における像を移動する像移動手段と、
前記像移動手段によって所定量ずつ像をずらした複数の画像を合成して画像を得る合成手段と、
撮像装置の撮影状態を設定する設定手段と、
前記像移動手段及び前記合成手段を用いた撮影の開始が指示された場合、前記撮影状態の少なくとも一部を固定化する固定化手段と
を備えることを特徴とする撮像装置。
【請求項２０】  前記固定化手段は、露出調整状態を、前記撮影の指示の発生した時点の状態に固定する
ことを特徴とする請求項１９に記載の撮像装置。
【請求項２１】  前記固定化手段は、自動焦点調節の調節状態を、前記撮影の指示の発生した時点の状態に固定する
ことを特徴とする請求項１９に記載の撮像装置。
【請求項２２】  前記固定化手段は、ズーミング機構の自動焦点調節の調節状態を、前記撮影の指示の発生した時点の状態に固定する
ことを特徴とする請求項１９に記載の撮像装置。
【請求項２３】  ぶれ防止手段を備えた撮像装置であって、
結像面上における像を移動する像移動手段と、
前記像移動手段によって所定量ずつ像をずらした複数の画像を合成して画像を得る合成手段と、
前記像移動手段及び前記合成手段を用いた撮影の開始が指示された場合、前記ぶれ防止手段を実行状態とする制御手段と
を備えることを特徴とする撮像装置。
【請求項２４】  前記像移動手段及び前記合成手段を用いた撮影の開始が指示された際の撮影条件に基づいて、前記ぶれ防止手段の実行が必要か否かを判定する判定手段を更に備え、
前記制御手段は、前記判定手段によって前記ぶれ防止手段の実行が必要と判定された場合、該ぶれ防止手段を動作状態に移行する
ことを特徴とする請求項２３に記載の撮像装置。
【請求項２５】  静止画記録指示により、センサよりの静止画データを取り込む画像取込工程と、
前記画像取込工程によって取り込まれた静止画データの撮影時のぶれ量を検出する検出工程と、
所定期間もしくは所定回数にわたる前記画像取込工程の実行によってえられる静止画データのうち、前記検出工程で検出されたぶれ量が最も小さい静止画データを当該静止画記録指示に対する画像として記録する記録工程と
を備えることを特徴とする撮像装置の制御方法。
【請求項２６】  撮像装置のぶれ量を検出し、該ぶれ量に基づいて光学的にぶれを補正する補正工程と、
静止画データ静止画記録指示により、センサよりの静止画データを取り込む画像取込工程と、
前記補正工程によるぶれ補正量に基づいて、前記画像取込工程によって取り込まれる静止画データの記録の可否を判定する判定工程と、
前記判定工程で記録可と判定された場合、当該静止画データを記録する記録工程と
を備えることを特徴とする撮像装置の制御方法。
【請求項２７】  ぶれ防止装置が動作できる光軸の最大偏角範囲より内側に静止画記録を許可する最大偏角範囲を定めると共に、ファインダー上は静止画記録を許可する最大偏角範囲の外側の最大偏角範囲内でぶれ防止装置を動作させた時の画像を表示することを特徴とする撮像装置の制御方法。
【請求項２８】  結像面上の像を画素ピッチに関連した所定量だけ移動する移動工程と、
前記移動工程で像を移動して得られる複数の画像情報を、画像情報を得た順に第１，第２…第ｎの画像として記憶する記憶工程と、
前記記憶工程で記憶された第ｉ番目の画像と同一の移動位置で取り込んだ新たな画像を、該第ｉ番目の画像と比較して前記第１〜第ｎの画像の有効性を判断する判断工程と、
前記判断工程で有効と判断された場合、前記第１〜第ｎの画像を合成して合成画像を生成する画像合成工程と、
前記判断工程で無効と判定された場合、前記第ｉ番目の画像を前記新たな画像で更新する更新工程と、
前記判断工程で有効と判定されるまで、該判断工程と前記更新工程を前記ｉを１からｎの範囲で変化させて繰り返す制御工程と
を備えることを特徴とする撮像装置の制御方法。
【請求項２９】  結像面上における像を移動する像移動工程と、
前記像移動工程によって所定量ずつ像をずらした複数の画像を合成して画像を得る合成工程と、
撮像装置の撮影状態を設定する設定工程と、
前記像移動工程及び前記合成工程を用いた撮影の開始が指示された場合、前記撮影状態の少なくとも一部を固定化する固定化工程と
を備えることを特徴とする撮像装置の制御方法。
【請求項３０】  ぶれ防止手段を備えた撮像装置の制御方法であって、
結像面上における像を移動する像移動工程と、
前記像移動工程によって所定量ずつ像をずらした複数の画像を合成して画像を得る合成工程と、
前記像移動工程及び前記合成工程を用いた撮影の開始が指示された場合、前記ぶれ防止手段を実行状態とする制御工程と
を備えることを特徴とする撮像装置の制御方法。
【請求項３１】  撮像装置を制御するための制御プログラムを格納する記憶媒体であって、該制御プログラムが、
静止画記録指示により、センサよりの静止画データを取り込む画像取込工程のコードと、
前記画像取込工程によって取り込まれた静止画データの撮影時のぶれ量を検出する検出工程のコードと、
所定期間もしくは所定回数にわたる前記画像取込工程の実行によってえられる静止画データのうち、前記検出工程で検出されたぶれ量が最も小さい静止画データを当該静止画記録指示に対する画像として記録する記録工程のコードとを備えることを特徴とする記憶媒体。
【請求項３２】  撮像装置を制御するための制御プログラムを格納する記憶媒体であって、該制御プログラムが、
当該撮像装置のぶれ量を検出し、該ぶれ量に基づいて光学的にぶれを補正する補正工程のコードと、
静止画データ静止画記録指示により、センサよりの静止画データを取り込む画像取込工程のコードと、
前記補正工程によるぶれ補正量に基づいて、前記画像取込工程によって取り込まれる静止画データの記録の可否を判定する判定工程のコードと、
前記判定工程で記録可と判定された場合、当該静止画データを記録する記録工程のコードとを備えることを特徴とする記憶媒体。
【請求項３３】  撮像装置を制御するための制御プログラムを格納する記憶媒体であって、該制御プログラムが、コンピュータを、
ぶれ防止装置が動作できる光軸の最大偏角範囲より内側に静止画記録を許可する最大偏角範囲を定めると共に、ファインダー上は静止画記録を許可する最大偏角範囲の外側の最大偏角範囲内でぶれ防止装置を動作させた時の画像を表示するべく動作させることを特徴とする記憶媒体。
【請求項３４】  撮像装置を制御するための制御プログラムを格納する記憶媒体であって、該制御プログラムが、
結像面上の像を画素ピッチに関連した所定量だけ移動する移動工程のコードと、
前記移動工程で像を移動して得られる複数の画像情報を、画像情報を得た順に第１，第２…第ｎの画像として記憶する記憶工程のコードと、
前記記憶工程に記憶された第ｉ番目の画像と同一の移動位置で取り込んだ新たな画像を、該第ｉ番目の画像と比較して前記第１〜第ｎの画像の有効性を判断する判断工程のコードと、
前記判断工程で有効と判断された場合、前記第１〜第ｎの画像を合成して合成画像を生成する画像合成工程のコードと、
前記判断工程で無効と判定された場合、前記第ｉ番目の画像を前記新たな画像で更新する更新工程のコードと、
前記判断工程で有効と判定されるまで、該判断工程と前記更新工程を前記ｉを１からｎの範囲で変化させて繰り返す制御工程のコードとを備えることを特徴とする記憶媒体。
【請求項３５】  撮像装置を制御するための制御プログラムを格納する記憶媒体であって、該制御プログラムが、
結像面上における像を移動する像移動工程のコードと、
前記像移動工程によって所定量ずつ像をずらした複数の画像を合成して画像を得る合成工程のコードと、
当該撮像装置の撮影状態を設定する設定工程のコードと、
前記像移動工程及び前記合成工程を用いた撮影の開始が指示された場合、前記撮影状態の少なくとも一部を固定化する固定化工程のコードとを備えることを特徴とする記憶媒体。
【請求項３６】  ぶれ防止手段を備えた撮像装置を制御するための制御プログラムを格納する記憶媒体であって、該制御プログラムが、
結像面上における像を移動する像移動工程のコードと、
前記像移動工程によって所定量ずつ像をずらした複数の画像を合成して画像を得る合成工程のコードと、
前記像移動工程及び前記合成工程を用いた撮影の開始が指示された場合、前記ぶれ防止手段を実行状態とする制御工程のコードとを備えることを特徴とする記憶媒体。
【請求項３７】  撮像装置のぶれ量を検出する検出手段と、
静止画データ静止画記録指示により、センサよりの静止画データを取り込む画像取込手段と、
前記検出手段により検出されるぶれ量に基づいて、前記画像取込手段によって取り込まれる静止画データの記録の可否を判定する判定手段と、
前記判定手段で記録可と判定された場合、当該静止画データを記録する記録手段と
を備えることを特徴とする撮像装置。
【請求項３８】  撮像装置のぶれ量を検出する検出工程と、
静止画データ静止画記録指示により、センサよりの静止画データを取り込む画像取込工程と、
前記検出工程により検出されるぶれ量に基づいて、前記画像取込工程によって取り込まれる静止画データの記録の可否を判定する判定工程と、
前記判定工程で記録可と判定された場合、当該静止画データを記録する記録工程と
を備えることを特徴とする撮像装置の制御方法。
【請求項３９】  撮像装置を制御するための制御プログラムを格納する記憶媒体であって、該制御プログラムが、
当該撮像装置のぶれ量を検出する検出工程のコードと、
静止画データ静止画記録指示により、センサよりの静止画データを取り込む画像取込工程のコードと、
前記検出工程により検出されるぶれ量に基づいて、前記画像取込工程によって取り込まれる静止画データの記録の可否を判定する判定工程のコードと、
前記判定工程で記録可と判定された場合、当該静止画データを記録する記録工程のコードとを備えることを特徴とする記憶媒体。